(57)【要約】【課題】駆動部品の交換作業に掛かる時間を短縮することのできる引戸駆動装置の取付構造及び引戸装置を提供する。【解決手段】引戸駆動装置２０は、引戸１０が収納される戸袋１６の内外に亘って設けられるレールベース２１と、引戸１０を駆動するモータ２２が設けられ、モータ２２を戸袋１６の開口部１６Ａの外から戸袋１６内に挿入した状態でレールベース２１に取り外し可能に戸袋１６の外で固定される取付板３０とを備える。【選択図】図１
2020033824.tif 000002
【特許請求の範囲】
【請求項１】
引戸が収納される戸袋の内外に亘って設けられるベース部と、
前記引戸を駆動する駆動部が設けられ、前記駆動部を前記戸袋の開口部の外から前記戸袋内に挿入した状態で前記ベース部に取り外し可能に前記戸袋の外で固定される取付部と、を備える
引戸駆動装置の取付構造。
【請求項２】
前記ベース部は、前記取付部の前記戸袋内に挿入される側の先端が差し込まれて鉛直方向への移動が規制されるように固定される押さえ部を備える
請求項１に記載の引戸駆動装置の取付構造。
【請求項３】
前記押さえ部は、前記ベース部に対して移動可能に設けられる
請求項２に記載の引戸駆動装置の取付構造。
【請求項４】
前記ベース部は、前記取付部を前記戸袋の外で固定するねじの頭を取り付ける取付溝を有し、
前記ねじは、ナットによって前記ベース部に締結される
請求項１〜３のいずれか一項に記載の引戸駆動装置の取付構造。
【請求項５】
前記ベース部の前記戸袋の外に設置される従動プーリを備え、
前記駆動部は、前記引戸を移動させる環状ベルトが前記従動プーリとの間で掛けられる駆動プーリを有する
請求項１〜４のいずれか一項に記載の引戸駆動装置の取付構造。
【請求項６】
前記引戸は、それぞれの引戸が異なる戸袋に収納される両開きの引戸であって、
前記引戸を移動させる環状ベルトが掛けられる従動プーリが固定され、いずれか一方の戸袋の開口部の外から戸袋内に挿入した状態で前記ベース部に取り外し可能に前記戸袋の外で固定される第２取付部を備える
請求項１〜５のいずれか一項に記載の引戸駆動装置の取付構造。
【請求項７】
引戸が収納される戸袋の内外に亘って設けられるベース部と、
前記引戸を駆動する駆動部と、
前記駆動部が設けられ、前記駆動部を前記戸袋の開口部の外から前記戸袋内に挿入した状態で前記ベース部に取り外し可能に前記戸袋の外で固定される取付部と、を備える
引戸装置。
【発明の詳細な説明】
【技術分野】
【０００１】
本発明は、引戸駆動装置の取付構造及び引戸装置に関する。
【背景技術】
【０００２】
引戸駆動装置は、ガイドレールに吊り下げられた戸を、リニアモータ等の駆動部品が駆動することで戸が移動して開閉するようになっている（例えば、特許文献１参照）。
特許文献１に記載のガイドレールの取付構造では、モータがガイドレールに取り付けられ、ガイドレールの先端に係合部材が取り付けられ、当該係合部材を戸袋内の縦枠に係合させて着脱可能に固定した後、ガイドレールを戸袋外においてねじ止めしている。
【先行技術文献】
【特許文献】
【０００３】
【特許文献１】特開２００１−３２９７３８号公報
【発明の概要】
【発明が解決しようとする課題】
【０００４】
ところで、上記特許文献１に記載のガイドレールの取付構造では、リニアモータの交換作業を行う場合に、戸袋外のねじを取り外した後、ガイドレールを戸袋内から引き出して、床に降ろし、リニアモータを交換した後、再びガイドレールを無目まで持ち上げて、戸袋内に差し込んで螺子止めする作業手順となる。このため、上記取付構造では、駆動部品の交換作業に時間が掛かり、作業性が低いという問題がある。
【０００５】
本発明は、こうした実情に鑑みてなされたものであり、その目的は、駆動部品の交換作業に掛かる時間を短縮することのできる引戸駆動装置の取付構造及び引戸装置を提供することにある。
【課題を解決するための手段】
【０００６】
上記課題を解決する引戸駆動装置の取付構造は、引戸が収納される戸袋の内外に亘って設けられるベース部と、前記引戸を駆動する駆動部が設けられ、前記駆動部を前記戸袋の開口部の外から前記戸袋内に挿入した状態で前記ベース部に取り外し可能に前記戸袋の外で固定される取付部と、を備える。
【０００７】
上記課題を解決する引戸装置は、引戸が収納される戸袋の内外に亘って設けられるベース部と、前記引戸を駆動する駆動部と、前記駆動部が設けられ、前記駆動部を前記戸袋の開口部の外から前記戸袋内に挿入した状態で前記ベース部に取り外し可能に前記戸袋の外で固定される取付部と、を備える。
【０００８】
上記構成によれば、駆動部が設けられた取付部を戸袋内に対して出し入れすることで、駆動部を戸袋内に対して出し入れすることができる。また、取付部をベース部に取り付けることで駆動部をベース部に取り付けることができ、駆動部の交換のために引戸をベース部から取り外す必要がなく、交換作業を容易に行うことができる。よって、駆動部の交換作業に掛かる時間を短縮することができる。
【０００９】
上記引戸駆動装置の取付構造について、前記ベース部は、前記取付部の前記戸袋内に挿入される側の先端が差し込まれて鉛直方向への移動が規制されるように固定される押さえ部を備えることが好ましい。
【００１０】
上記構成によれば、押さえ部に取付部の先端を差し込むことで、取付部の先端を固定することができ、駆動部をベース部に容易に取り付けることができるとともに、駆動部をベース部から容易に取り外すことができる。また、駆動部が発生する力の反力を効率的に受けることができる。
【００１１】
上記引戸駆動装置の取付構造について、前記押さえ部は、前記ベース部に対して移動可能に設けられることが好ましい。
上記構成によれば、取付部の先端が差し込まれる押さえ部をベース部に対して移動することができるため、引戸が設置される現場に応じて、ベース部に対する駆動部の位置を施工時に調整することができる。
【００１２】
上記引戸駆動装置の取付構造について、前記ベース部は、前記取付部を前記戸袋の外で固定するねじの頭を取り付ける取付溝を有し、前記ねじは、ナットによって前記ベース部に締結されることが好ましい。
【００１３】
上記構成によれば、取付溝に頭が挿入されたねじに取付部が取り付けられるので、ナットによって締結する前に、取付部を移動させれば、ベース部に沿って駆動部を戸袋の外から戸袋内に移動させることができ、駆動部の交換作業が容易となる。
【００１４】
上記引戸駆動装置の取付構造について、前記ベース部の前記戸袋の外に設置される従動プーリを備え、前記駆動部は、前記引戸を移動させる環状ベルトが前記従動プーリとの間で掛けられる駆動プーリを有することが好ましい。
【００１５】
上記構成によれば、駆動部が駆動プーリを回転させることで、環状ベルトが駆動され、引戸を開閉させるため、駆動部と駆動プーリとの連結を外すか、駆動プーリと環状ベルトとの掛かりを外せば、駆動部を容易に取り外すことができる。
【００１６】
上記引戸駆動装置の取付構造について、前記引戸は、それぞれの引戸が異なる戸袋に収納される両開きの引戸であって、前記引戸を移動させる環状ベルトが掛けられる従動プーリが固定され、いずれか一方の戸袋の開口部の外から戸袋内に挿入した状態で前記ベース部に取り外し可能に前記戸袋の外で固定される第２取付部を備えることが好ましい。
【００１７】
上記構成によれば、両開きの引戸において、駆動部と従動プーリとを異なる戸袋に納めることができ、従動プーリが固定された第２取付部を戸袋内に対して出し入れすることで、従動プーリを戸袋内に対して容易に出し入れすることができる。
【発明の効果】
【００１８】
本発明によれば、駆動部品の交換作業に掛かる時間を短縮することができる。
【図面の簡単な説明】
【００１９】
【図１】引戸駆動装置の取付構造の第１の実施形態の構成を示す全体斜視図。
【図２】同実施形態の引戸駆動装置の取付構造の構成を示す全体背面図。
【図３】同実施形態の引戸駆動装置の取付構造の構成を示す戸尻側の斜視図。
【図４】同実施形態の引戸駆動装置の取付構造の構成を示す戸先側の斜視図。
【図５】同実施形態のベース部の取付溝を示す側面側斜視図。
【図６】同実施形態の押さえ部の取付を示す分解斜視図。
【図７】同実施形態の取付部に取り付けられた駆動部を示す斜視図。
【図８】同実施形態のベース部の取付を示す分解斜視図。
【図９】同実施形態の駆動部の取付を示す分解斜視図。
【図１０】同実施形態の従動プーリの取付を示す分解斜視図。
【図１１】引戸駆動装置の取付構造の第２の実施形態の構成を示す全体背面図。
【図１２】同実施形態の第２取付部に取り付けられた従動プーリを示す斜視図。
【図１３】同実施形態の従動プーリの取付を示す分解背面図。
【発明を実施するための形態】
【００２０】
（第１の実施形態）
以下、図１〜図１０を参照して、引戸駆動装置の取付構造及び引戸装置の第１の実施形態について説明する。
【００２１】
図１及び図２に示すように、引戸装置１は、引戸１０と、引戸１０を駆動する引戸駆動装置２０とを備えている。引戸駆動装置２０は、引戸１０の上に位置する無目１１に設置されている。図１〜図４は、引戸１０が閉じた状態を示している。
【００２２】
引戸装置１は、水平方向における両端に設けられる一対の戸先側縦枠１２と戸尻側縦枠１３とを備えている。戸先側縦枠１２は、鉛直方向に立てられた状態で引戸１０の戸先側（図中右側）に設置されている。戸尻側縦枠１３は、鉛直方向に立てられた状態で引戸１０の戸尻側（図中左側）に設置されている。無目１１は、これら戸先側縦枠１２と戸尻側縦枠１３との間の上部に設けられる。戸先側縦枠１２と戸尻側縦枠１３との間の中央には、方立１４が設けられている。方立１４は、鉛直方向に立てられた状態で設置されている。方立１４は、無目１１及び引戸１０と干渉しない位置に設けられている。
【００２３】
引戸装置１は、戸先側縦枠１２と方立１４との間が開口１５となり、引戸１０が閉じているときに開口１５が塞がれ、引戸１０が開いているときに人が開口１５を通行することができる。また、戸尻側縦枠１３と方立１４との間は図示しない壁が設けられ、引戸１０が収納される戸袋１６として機能する。このため、戸尻側縦枠１３と方立１４との間は、壁に埋め込まれた状態となっている。そして、戸袋１６は、引戸駆動装置２０に対して正面からは無目１１によって作業を行うことができず、背面からは壁によって作業を行うことができない。なお、無目１１と方立１４との間は、隙間があり、戸袋１６内に挿入する戸袋１６の開口部１６Ａとして機能する。
【００２４】
引戸駆動装置２０は、引戸１０が吊り下げられるベース部としてのレールベース２１と、引戸１０を駆動する駆動部としてのモータ２２と、駆動プーリ２３と、従動プーリ２４とを備えている。レールベース２１は、戸袋１６の内外、すなわち無目１１の全長に亘って設けられている。モータ２２及び駆動プーリ２３は、レールベース２１のうち戸袋１６内に位置する部分に設置されている。駆動プーリ２３は、モータ２２に組み付けられており、モータ２２によって回転される。従動プーリ２４は、レールベース２１のうち戸袋１６の外に位置する部分に設置されている。駆動プーリ２３と従動プーリ２４とには、環状ベルトであるタイミングベルト２５が掛けられている。このため、タイミングベルト２５は、駆動プーリ２３の回転によって回転する。
【００２５】
引戸１０の上端には、一対の戸先側ドアハンガ２６及び戸尻側ドアハンガ２７が固定されている。戸先側ドアハンガ２６及び戸尻側ドアハンガ２７には、一対の回転ローラ２６Ａ，２７Ａがそれぞれ設けられている。戸先側ドアハンガ２６及び戸尻側ドアハンガ２７は、レールベース２１に移動可能に吊り下げられている。
【００２６】
引戸駆動装置２０は、引戸１０とタイミングベルト２５とを連結する連結部材２８を備えている。連結部材２８の下端は、戸尻側ドアハンガ２７に固定されている。連結部材２８の上端は、タイミングベルト２５に取り付けられている。よって、タイミングベルト２５が回転すると、連結部材２８を介して一体に引戸１０が移動する。
【００２７】
引戸駆動装置２０は、モータ２２及び駆動プーリ２３が設けられた取付部としての取付板３０を備えている。取付板３０は、レールベース２１に設置されている。取付板３０は、長尺状の板材であって、レールベース２１に設置された状態で一部が戸袋１６の外に突出する長さを有している。取付板３０は、モータ２２を戸袋１６の開口部１６Ａの外から戸袋１６内に挿入した状態でレールベース２１に取り外し可能に戸袋１６の外で固定される。
【００２８】
図３に示すように、モータ２２及び駆動プーリ２３は、一体となったモータ２２及び駆動プーリ２３を保持する第１保持部材２２Ａ及び第２保持部材２２Ｂを介して取付板３０に対して上方側からねじ３１によって締結されている。第１保持部材２２Ａはモータ２２側を保持し、第２保持部材２２Ｂは駆動プーリ２３側を保持している。
【００２９】
引戸駆動装置２０は、取付板３０の戸尻側（図中左側）を固定する押さえ部としての押さえ部材３２を備えている。押さえ部材３２は、レールベース２１の取付金具３３の手前、戸尻側縦枠１３から離間する側に取り付けられている。押さえ部材３２は、取付板３０の戸袋１６内に挿入される側の先端が差し込まれて、取付板３０を固定している。押さえ部材３２は、レールベース２１に対して移動可能に設けられ、位置を調整した後固定される。レールベース２１の戸尻側（図中左側）は、Ｌ字状の取付金具３３によって戸尻側縦枠１３に固定されている。
【００３０】
図４に示すように、従動プーリ２４は、従動プーリ２４を保持する第３保持部材２４Ａを介してレールベース２１に締結されている。第３保持部材２４Ａは、従動プーリ２４を回転可能に保持している。
【００３１】
図５に示すように、レールベース２１の上部には、機器取付用ボルト３４の頭を取り付ける取付溝２１Ａが設けられている。取付溝２１Ａは、レールベース２１の全長に亘って設けられ、凹溝の上端が内側に曲げられた形状である。このため、レールベース２１の端部からのみ機器取付用ボルト３４を挿入することが可能である。機器取付用ボルト３４は、下を頭、上をねじ部の逆さ向きにして、取付溝２１Ａに挿入される。なお、機器取付用ボルト３４が取付板３０をレールベース２１に締結するねじに相当する。
【００３２】
また、機器取付用ボルト３４は、ナット３５によってレールベース２１に締結される。取付溝２１Ａの大きさは、機器取付用ボルト３４の頭よりも若干大きく形成されている。このため、機器取付用ボルト３４は、ナット３５によって完全に締め付けられていなければ、取付溝２１Ａ内を取付溝２１Ａに沿って移動させることが可能である。
【００３３】
また、レールベース２１の下部には、戸先側ドアハンガ２６の回転ローラ２６Ａ及び戸尻側ドアハンガ２７の回転ローラ２７Ａが取り付けられるガイドレール２１Ｂが設けられている。ガイドレール２１Ｂは、レールベース２１の全長に亘って設けられている。
【００３４】
図６に示すように、取付金具３３のＬ字状の水平部分は、２組の機器取付用ボルト３４とナット３５によってレールベース２１に固定される。機器取付用ボルト３４は、取付溝２１Ａに頭が挿入されている。取付金具３３のＬ字状の垂直部分には、戸尻側縦枠１３に差し込む差込部材３３Ａが縦枠側（図中左側）に固定されている。
【００３５】
押さえ部材３２は、取付板３０の戸尻側（図中左側）が当接する当接板３２Ａと、取付板３０の上面を押さえる押さえ板３２Ｂとを備えている。当接板３２Ａの厚さは、取付板３０の厚さとほぼ同じである。押さえ板３２Ｂのレールベース２１に沿う方向の長さは、当接板３２Ａのレールベース２１に沿う方向の長さよりも戸先側（図中右側）へ長い。押さえ板３２Ｂの戸先側（図中右側）の先端は、上から下へ向かって短くなる斜面となっている。このため、取付板３０を押さえ部材３２に差し込むときに、取付板３０が押さえ板３２Ｂの下方へ誘導されるようになっている。押さえ部材３２は、モータ２２の起動及び停止時にモータ２２が発生する力の反力、鉛直方向への力を受け止め、鉛直方向への移動が規制される。
【００３６】
図７に示すように、第１保持部材２２Ａの一端は、絶縁部材を介してモータ２２側に取り付けられている。第１保持部材２２Ａの他端は、２つのねじ３１によって取付板３０に締結されている。第２保持部材２２Ｂの一端は、絶縁部材を介して駆動プーリ２３側に取り付けられている。第２保持部材２２Ｂの他端は、２つのねじ３１によって取付板３０に締結されている。そして、取付板３０に締結されたねじ３１は、取付板３０の下面から突出している。これら突出したねじ３１の先端は、レールベース２１の取付溝２１Ａに嵌装される。このため、モータ２２をレールベース２１に取り付けるときに、突出したねじ３１の先端によって誘導される。
【００３７】
次に、図８〜図１０を参照して、上記引戸駆動装置２０の取付作業について説明する。
図８に示すように、まず、レールベース２１は、戸袋１６の外から挿入して、取付金具３３の差込部材３３Ａを戸尻側縦枠１３の差込切欠１３Ａに差し込むことで、戸尻側縦枠１３に固定される。
【００３８】
図９に示すように、続いて、レールベース２１は、開口１５の上方に位置する無目１１に複数のねじ３６によって固定される。すなわち、レールベース２１の戸尻側は差込部材３３Ａによって戸尻側縦枠１３に固定され、レールベース２１の戸先側はねじ３６によって無目１１に固定される。
【００３９】
ここで、レールベース２１の取付溝２１Ａには、必要な数の機器取付用ボルト３４が予め差し込まれている。予め差し込まれた機器取付用ボルト３４は、開口１５の上方に位置する。なお、必要な数とは、取付板３０を固定するのに必要な数、及び従動プーリ２４を保持する第３保持部材２４Ａを固定するのに必要な数の和以上である。
【００４０】
続いて、モータ２２及び駆動プーリ２３が固定された取付板３０を戸袋１６の外の背面側より差し込んで、予め差し込まれた機器取付用ボルト３４とナット３５とによって仮固定する。すなわち、取付板３０の戸先側（図中右側）に設けられた貫通孔に機器取付用ボルト３４を下方から挿通し、ナット３５を上方から機器取付用ボルト３４に螺合することで、取付板３０をレールベース２１に対して移動可能な程度に締結する。
【００４１】
続いて、レールベース２１に仮固定された取付板３０を戸袋１６の外から差し込むことで、モータ２２がレールベース２１に取り付けられる。すなわち、レールベース２１の開口１５の上方に位置する取付板３０を、レールベース２１の取付溝２１Ａに沿って戸袋１６内に差し込み、押さえ部材３２に当接するまで差し込む。このとき、取付板３０は、タイミングベルト２５（図示略）が駆動プーリ２３に掛けられた状態で差し込まれる。
【００４２】
図１０に示すように、続いて、取付板３０の戸尻側（図中左側）の先端が押さえ部材３２の押さえ板３２Ｂの先端に当接したときには、押さえ板３２Ｂの先端の斜面によって押さえ板３２Ｂの下方に誘導される。取付板３０の戸尻側の先端が押さえ部材３２の当接板３２Ａに当接すると、押さえ部材３２の押さえ板３２Ｂによって取付板３０の戸尻側が浮き上がらなくなる。この状態で、仮固定したナット３５を締め込み固定する。取付板３０が固定された状態において、機器取付用ボルト３４及びナット３５の位置は開口１５の上方に位置している。言い換えると、取付板３０の戸先側（図中右側）は、戸袋１６の外に位置するレールベース２１に機器取付用ボルト３４及びナット３５によって締結される。このため、ナット３５の締付を容易に行うことができる。また、モータ２２を取り外すときには、取付板３０を戸袋１６の外から引き出すことで、取付板３０がレールベース２１から取り外される。
【００４３】
続いて、従動プーリ２４が保持された第３保持部材２４Ａを、開口１５の上方に位置するレールベース２１に、予め差し込まれた機器取付用ボルト３４とナット３５の２組によって仮固定する。
【００４４】
図２に示すように、続いて、引戸１０をガイドレール２１Ｂに吊り下げる。すなわち、引戸１０の上部に固定された戸先側ドアハンガ２６の回転ローラ２６Ａ及び戸尻側ドアハンガ２７の回転ローラ２７Ａをガイドレール２１Ｂに取り付ける。
【００４５】
続いて、タイミングベルト２５を従動プーリ２４に掛け、タイミングベルト２５の両端を連結部材２８に固定する。続いて、従動プーリ２４が保持された第３保持部材２４Ａを、タイミングベルト２５が緩まない位置まで戸先側（図中右側）に移動させて、機器取付用ボルト３４とナット３５を締結することで、従動プーリ２４をレールベース２１に固定する。
【００４６】
上記のように、モータ２２をレールベース２１に取り付ける作業は、戸袋１６の外から戸袋１６内に取付板３０を挿入して、戸袋１６の外でナット３５を締結するため、作業が容易である。また、従動プーリ２４をレールベース２１に取り付ける作業は、戸袋１６の外でナット３５を締結するため、作業が容易である。
【００４７】
次に、モータ２２の交換作業について説明する。
モータ２２の交換作業は、引戸１０及び従動プーリ２４をレールベース２１から取り外さずに行うことができる。すなわち、まず、取付板３０をレールベース２１に締結しているナット３５を緩める。続いて、取付板３０の戸袋１６の外に位置する部分を引いて、取付板３０をレールベース２１の取付溝２１Ａに沿って戸袋１６の外に引き出す。そして、戸袋１６の外においてナット３５を機器取付用ボルト３４から外して、取付板３０をレールベース２１から取り外す。こうすることで、モータ２２が引戸駆動装置２０から取り外される。
【００４８】
続いて、新しいモータ２２が取り付けられた取付板３０に戸袋１６の外に位置する機器取付用ボルト３４を下方から挿通し、ナット３５を上方から機器取付用ボルト３４に螺合することで、取付板３０がレールベース２１に対して移動可能な程度に締結する。そして、レールベース２１に仮固定された取付板３０を戸袋１６の外からレールベース２１の取付溝２１Ａに沿って押さえ部材３２まで差し込み、ナット３５を締結する。こうすることで、モータ２２が引戸駆動装置２０に取り付けられる。
【００４９】
次に、本実施形態の効果について説明する。
（１）モータ２２が設けられた取付板３０を戸袋１６内に対して出し入れすることで、モータ２２を戸袋１６内に対して出し入れすることができる。また、取付板３０をレールベース２１に取り付けることでモータ２２をレールベース２１に取り付けることができ、モータ２２の交換のために引戸１０をレールベース２１から取り外す必要がなく、交換作業を容易に行うことができる。よって、モータ２２の交換作業に掛かる時間を短縮することができる。
【００５０】
（２）押さえ部材３２に取付板３０の先端を差し込むことで、取付板３０の先端を固定することができ、モータ２２をレールベース２１に容易に取り付けることができるとともに、モータ２２をレールベース２１から容易に取り外すことができる。また、モータ２２が発生する力の反力を効率的に受けることができる。
【００５１】
（３）取付板３０の先端が差し込まれる押さえ部材３２をレールベース２１に対して移動することができるため、引戸１０が設置される現場に応じて、レールベース２１に対するモータ２２の位置を施工時に調整することができる。
【００５２】
（４）レールベース２１の取付溝２１Ａに頭が挿入された機器取付用ボルト３４に取付板３０が取り付けられるので、ナット３５によって締結する前に、取付板３０を移動させれば、レールベース２１に沿ってモータ２２を戸袋１６の外から戸袋１６内に移動させることができ、モータ２２の交換作業が容易となる。
【００５３】
（５）モータ２２が駆動プーリ２３を回転させることで、タイミングベルト２５が駆動され、引戸１０を開閉させるため、駆動プーリ２３とタイミングベルト２５との掛かりを外せば、モータ２２を容易に取り外すことができる。
【００５４】
（第２の実施形態）
以下、図１１〜図１３を参照して、引戸駆動装置の取付構造及び引戸装置の第２の実施形態について説明する。この実施形態の引戸装置は、両開き引戸（引分け）である点が上記第１の実施形態と異なっている。以下、第１の実施形態との相違点を中心に説明する。
【００５５】
図１１に示すように、引戸装置２は、２枚の引戸１０を備える両開き引戸である。２枚の引戸１０は、１組のモータ２２、駆動プーリ２３、従動プーリ２４、及びタイミングベルト２５によって開閉移動される。
【００５６】
引戸装置２は、水平方向における両端に設けられる一対の右側縦枠１７と左側縦枠１８とを備えている。右側縦枠１７は、鉛直方向に立てられた状態で背面側から見て右側に設置されている。左側縦枠１８は、鉛直方向に立てられた状態で背面側から見て左側に設置されている。無目１１は、これら右側縦枠１７と左側縦枠１８との間の上部に設けられている。右側縦枠１７と左側縦枠１８との間の中央と、右側縦枠１７及び左側縦枠１８との間のそれぞれ中央には、方立１９が設けられている。方立１９は、鉛直方向に立てられた状態で設置されている。方立１９は、無目１１及び引戸１０と干渉しない位置に設けられている。
【００５７】
引戸装置２は、２つの方立１９と方立１９との間が開口１５となり、引戸１０が閉じているときに開口１５が塞がれ、引戸１０が開いているときに人が開口１５を通行することができる。また、右側縦枠１７と方立１９との間及び左側縦枠１８と方立１９との間は図示しない壁が設けられ、引戸１０が収納される戸袋１６として機能する。なお、無目１１と方立１４との間は、隙間があり、戸袋１６内に挿入する戸袋１６の開口部１６Ａとして機能する。
【００５８】
レールベース２１は、右側の戸袋１６内から左側の戸袋１６内まで、すなわち無目１１の全長に亘って設けられている。モータ２２及び駆動プーリ２３は、レールベース２１のうち左側の戸袋１６内に位置する部分に設置されている。従動プーリ２４は、レールベース２１のうち右側の戸袋１６内に位置する部分に設置されている。
【００５９】
連結部材２８は、左側の引戸１０とタイミングベルト２５とを連結している。連結部材２８の下端は、戸先側ドアハンガ２６に固定されている。引戸駆動装置２０は、右側の引戸１０とタイミングベルト２５とを連結する第２連結部材４１を備えている。第２連結部材４１の下端は、右側の引戸１０の戸先側ドアハンガ２６に固定されている。第２連結部材４１の上端は、タイミングベルト２５の左側の引戸１０と逆方向に動く部分に取り付けられている。よって、タイミングベルト２５が回転すると、第２連結部材４１を介して一体に右側の引戸１０が移動する。よって、２つの引戸１０が開閉する。
【００６０】
取付板３０は、左側の戸袋１６内のレールベース２１に設置されている。取付板３０は、レールベース２１に設置された状態で一部が左側の戸袋１６の外に突出する長さを有している。引戸駆動装置２０は、従動プーリ２４が固定された第２取付板４０を備えている。第２取付板４０は、レールベース２１に設置されている。第２取付板４０は、長尺状の板材であって、レールベース２１に設置された状態で一部が左側の戸袋１６の外に突出する長さを有している。
【００６１】
図１２に示すように、従動プーリ２４は、従動プーリ２４を保持する第３保持部材２４Ａを介して第２取付板４０に対して上方側からねじ３１によって締結されている。そして、第２取付板４０に締結されたねじ３１は、第２取付板４０の下面から突出している。これら突出したねじ３１の先端は、レールベース２１の取付溝２１Ａに嵌装される。このため、従動プーリ２４をレールベース２１に取り付けるときに、突出したねじ３１の先端によって誘導される。
【００６２】
図１３に示すように、引戸駆動装置２０は、第２取付板４０の戸尻側（図中右側）を固定する第２押さえ部材４２を備えている。第２押さえ部材４２は、右側の戸袋１６内に取り付けられている。第２押さえ部材４２は、第２取付板４０の戸袋１６内に挿入される側の先端が差し込まれて、第２取付板４０を固定している。第２押さえ部材４２は、レールベース２１に対して移動可能に設けられ、位置を調整した後固定される。第２押さえ部材４２は、取付板３０に対する押さえ部材３２と同様に、第２取付板４０に対して機能する。
【００６３】
次に、従動プーリ２４の取付作業について説明する。
図１３に示すように、レールベース２１には、モータ２２、引戸１０等が取り付けられている。続いて、従動プーリ２４が固定された第２取付板４０を戸袋１６の外の背面側より差し込んで、予め差し込まれた機器取付用ボルト３４とナット３５とによって仮固定する。すなわち、第２取付板４０の戸先側（図中左側）に設けられた貫通孔に機器取付用ボルト３４を下方から挿通し、ナット３５を上方から機器取付用ボルト３４に螺合することで、第２取付板４０をレールベース２１に対して移動可能な程度に締結する。
【００６４】
続いて、レールベース２１に仮固定された第２取付板４０を右側の戸袋１６の外から差し込むことで、従動プーリ２４がレールベース２１に取り付けられる。すなわち、レールベース２１の開口１５の上方に位置する第２取付板４０を、レールベース２１の取付溝２１Ａに沿って戸袋１６内に差し込み、第２押さえ部材４２に当接するまで差し込む。このとき、第２取付板４０は、タイミングベルト２５（図示略）が従動プーリ２４に掛けられた状態で差し込まれる。
【００６５】
続いて、タイミングベルト２５（図示略）が駆動プーリ２３と従動プーリ２４とに掛けられる。そして、タイミングベルト２５の両端が第２連結部材４１に取り付けられ、第２連結部材４１においてタイミングベルト２５の張りが調整される。
【００６６】
この状態で、仮固定したナット３５を締め込み固定する。第２取付板４０が固定された状態において、機器取付用ボルト３４及びナット３５の位置は開口１５の上方に位置している。言い換えると、第２取付板４０の戸先側（図中左側）は、戸袋１６の外に位置するレールベース２１に機器取付用ボルト３４及びナット３５によって締結される。このため、ナット３５の締付を容易に行うことができる。また、従動プーリ２４を取り外すときには、第２取付板４０を戸袋１６の外から引き出すことで、第２取付板４０がレールベース２１から取り外される。
【００６７】
上記のように、従動プーリ２４をレールベース２１に取り付ける作業は、右側の戸袋１６の外から右側の戸袋１６内に第２取付板４０を挿入して、右側の戸袋１６の外でナット３５を締結するため、作業が容易である。また、従動プーリ２４をレールベース２１に取り付ける作業は、右側の戸袋１６の外でナット３５を締結するため、作業が容易である。
【００６８】
次に、本実施形態の効果について説明する。なお、第１の実施形態の（１）〜（５）の効果に加え、以下の効果を奏する。
（６）両開きの引戸装置２において、モータ２２と従動プーリ２４とを異なる戸袋１６に納めることができ、従動プーリ２４が固定された第２取付板４０を戸袋１６内に出し入れすることで、従動プーリ２４を戸袋１６内に容易に出し入れすることができる。
【００６９】
本実施形態は、以下のように変更して実施することができる。本実施形態及び以下の変更例は、技術的に矛盾しない範囲で互いに組み合わせて実施することができる。
・上記各実施形態では、押さえ部材３２をレールベース２１に対して移動可能に設けたが、押さえ部材３２をレールベース２１に対して予め固定して設けてもよい。
【００７０】
・上記各実施形態では、取付板３０の先端が差し込まれて固定される押さえ部材３２を備えたが、押さえ部材３２を省略して、レールベース２１に対する取付板３０の位置を規定する部材があればよい。
【００７１】
・上記第２の実施形態では、第２取付板４０の先端が差し込まれ、固定される第２押さえ部材４２を備えたが、第２押さえ部材４２を省略して、レールベース２１に対する第２取付板４０の位置を規定する部材があればよい。
【００７２】
・上記第１の実施形態では、連結部材２８の下端を戸尻側ドアハンガ２７に固定したが、連結部材２８の下端を引戸１０に直接固定してもよい。すなわち、連結部材２８は、タイミングベルト２５と引戸１０とを連結する。
【００７３】
・上記第２の実施形態では、連結部材２８を左側の引戸１０の戸先側ドアハンガ２６に固定したが、連結部材２８を左側の引戸１０に直接固定してもよい。また、第２連結部材４１を右側の引戸１０の戸先側ドアハンガ２６に固定したが、連結部材２８を右側の引戸１０に直接固定してもよい。
【００７４】
・上記各実施形態では、機器取付用ボルト３４の頭を取り付ける取付溝２１Ａをレールベース２１に設け、機器取付用ボルト３４とナット３５とによって締結した。しかしながら、取付板３０、第２取付板４０をレールベース２１に取り付けられれば、ねじの頭を取り付ける溝形状以外であってもよい。例えば、取付板３０、第２取付板４０とレールベース２１が係合する形状や、取付板３０、第２取付板４０がレールベース２１を把持する形状等であってもよい。
【００７５】
・上記各実施形態では、取付板３０に第１保持部材２２Ａ及び第２保持部材２２Ｂを取り付けるねじ３１を取付板３０の下面から突出させて、レールベース２１の取付溝２１Ａに嵌装するようにした。しかしながら、ねじ３１を取付板３０の下面から突出しないようにしてもよい。
【００７６】
・上記第２の実施形態では、第２取付板４０に第３保持部材２４Ａを取り付けるねじ３１を取付板３０の下面から突出させて、レールベース２１の取付溝２１Ａに嵌装するようにした。しかしながら、ねじ３１を第２取付板４０の下面から突出しないようにしてもよい。
【００７７】
・上記各実施形態において、取付板３０、第２取付板４０がレールベース２１を把持する構成を備えてもよい。例えば、取付板３０、第２取付板４０を断面コ字状等にして、取付板３０、第２取付板４０がレールベース２１の上端を把持してもよい。このようにすれば、取付板３０、第２取付板４０をレールベース２１に対して戸袋１６内に移動させるときに、誘導することができる。
【００７８】
・第２の実施形態では、第２連結部材４１においてタイミングベルト２５の張りを調整した。しかしながら、従動プーリ２４が取り付けられた第２取付板４０の位置をレールベース２１に対して調整することでタイミングベルト２５の張りを調整してもよい。
【００７９】
・上記各実施形態では、モータ２２と駆動プーリ２３とを一体としたが、モータ２２と駆動プーリ２３とが分離可能な構成として、モータ２２を交換するときはモータ２２と駆動プーリ２３との連結を外してもよい。
【００８０】
・上記各実施形態では、戸袋１６が図示しない壁に埋め込まれた状態としたが、戸袋１６が壁に埋め込まれていない引戸装置１，２としてもよい。このような引戸装置であれば、開口１５の部分で取付作業や交換作業を行うことができるので、作業性が高くなる。
【符号の説明】
【００８１】
１，２…引戸装置、１０…引戸、１１…無目、１２…戸先側縦枠、１３…戸尻側縦枠、１３Ａ…差込切欠、１４…方立、１５…開口、１６…戸袋、１６Ａ…開口部、１７…右側縦枠、１８…左側縦枠、１９…方立、２０…引戸駆動装置、２１…ベース部としてのレールベース、２１Ａ…取付溝、２１Ｂ…ガイドレール、２２…駆動部としてのモータ、２２Ａ…第１保持部材、２２Ｂ…第２保持部材、２３…駆動プーリ、２４…従動プーリ、２４Ａ…第３保持部材、２５…環状ベルトであるタイミングベルト、２６…戸先側ドアハンガ、２６Ａ…回転ローラ、２７…戸尻側ドアハンガ、２７Ａ…回転ローラ、２８…連結部材、３０…取付部としての取付板、３１…ねじ、３２…押さえ部としての押さえ部材、３２Ａ…当接板、３２Ｂ…押さえ板、３３…取付金具、３３Ａ…差込部材、３４…ねじとしての機器取付用ボルト、３５…ナット、３６…ねじ、４０…第２取付部としての第２取付板、４１…第２連結部材、４２…第２押さえ部材。
【図１】
2020033824.tif 000003
【図２】
2020033824.tif 000004
【図３】
2020033824.tif 000005
【図４】
2020033824.tif 000006
【図５】
2020033824.tif 000007
【図６】
2020033824.tif 000008
【図７】
2020033824.tif 000009
【図８】
2020033824.tif 000010
【図９】
2020033824.tif 000011
【図１０】
2020033824.tif 000012
【図１１】
2020033824.tif 000013
【図１２】
2020033824.tif 000014
【図１３】
2020033824.tif 000015